(57)【要約】【課題】プレイリストとは別の方式で再生対象楽曲及びそれらの再生順を決めて、これにより、楽曲の再生についてのユーザの楽しみを増やす。【解決手段】オーディオ装置１０には、ＦＭラジオ放送番組準拠の再生モードが用意される。ユーザは、期間又は期日を指定してから、該当の番組の一覧より所望の番組を選択する。該番組に係るオンエア情報は、該番組で放送した楽曲及びその放送開始時刻についての情報が含まれている。オンエア情報に基づき選択番組の放送楽曲Ｍ1〜Ｍnを探索して、それらを再生対象楽曲とする。再生対象楽曲に対応する再生ファイルを記憶装置から放送開始時刻順（Ｍ1→Ｍ2→・・・→Ｍn）に読み出して、再生する。【選択図】図３
2008243320.tif 000002
【特許請求の範囲】
【請求項１】
放送番組自体と該放送番組における要素コンテンツとしての番組内放送コンテンツとについてのメタデータを入手するメタデータ入手手段、
所定の放送番組についての所定の番組内放送コンテンツのメタデータに基づき、所定の記録媒体から読み出して再生する再生対象コンテンツを、決定する再生対象コンテンツ決定手段、及び
決定した再生対象コンテンツを前記記録媒体から読み出して再生する再生手段、
を備えることを特徴とするコンテンツ再生装置。
【請求項２】
前記所定の放送番組は、単一又は複数の放送局における単一又は複数の放送回の単一又は複数の放送番組であることを特徴とする請求項１記載のコンテンツ再生装置。
【請求項３】
各番組内放送コンテンツの放送開始時刻のメタデータに基づき前記再生対象コンテンツの再生順番を決定する再生順番決定手段、
決定した再生順番で前記再生対象コンテンツを再生する前記再生手段、
を備えることを特徴とする請求項１又は２記載のコンテンツ再生装置。
【請求項４】
前記番組内放送コンテンツは楽曲であることを特徴とする請求項１〜３のいずれかに記載のコンテンツ再生装置。
【請求項５】
放送番組自体と該放送番組における要素コンテンツとしての番組内放送コンテンツとについてのメタデータを入手するステップ、
所定の放送番組についての所定の番組内放送コンテンツのメタデータに基づき、所定の記憶装置から読み出して再生する再生対象コンテンツを、決定するステップ、及び
決定した再生対象コンテンツを前記記憶装置から読み出して再生するステップ、
を備えることを特徴とするコンテンツ再生方法。
【請求項６】
請求項１〜４のいずれかに記載のコンテンツ再生装置の各手段としてコンピュータを機能させるプログラム。
【発明の詳細な説明】
【技術分野】
【０００１】
本発明は、複数の所定のコンテンツを再生する場合に、適切な再生対象コンテンツを選択するコンテンツ再生装置、方法及びプログラムに関するものである。
【背景技術】
【０００２】
オーディオ装置では、ユーザは、記録媒体にオーディオファイルとして保有する楽曲からお気に入りの楽曲を選択して、プレイリストに登録して、該プレイリスト内の楽曲を該プレイリストにおける掲載順に再生したり、ランダム再生したりして、音楽を楽しむことができるようになっている。
【０００３】
特許文献１は、コンテンツをコンテンツ蓄積手段から番組表に基づき読み出して再生するコンテンツ再生装置を開示する（特許文献１の請求項６）。特許文献１の段落００１４には、「放送をリアルタイムに受信している場合だけでなく、過去に視聴した放送番組や、電子番組表でのコンテンツの再生順序に従って、コンテンツ再生装置に格納されたコンテンツが自動的に選択されて再生されていく。」との記載がある。
【特許文献１】特開２００５−２７６４００号公報
【発明の開示】
【発明が解決しようとする課題】
【０００４】
プレイリストに登録された楽曲についてリスト掲載順又はランダムに再生するのみでは、再生対象が毎回同一であり、繰り返し行われると、新鮮感が低下し、ユーザを飽きさせてしまう。
【０００５】
特許文献１のコンテンツ再生装置がその再生順番の基にしている番組表は、特許文献１の図２１〜図２３に例示されているように、番組名と放送日のみのものである。該番組表には、各番組で具体的にどのような楽曲等の番組内放送コンテンツが放送されるかに関する情報は一切含まれていない。したがって、該コンテンツ再生装置において、電子番組表でのコンテンツの再生順序に従って再生されるコンテンツとは番組自体のことであり、該コンテンツ再生装置では、番組コンテンツが電子番組表に基づく再生順序に従って再生されるだけである。
【０００６】
本発明の目的は、新鮮感ある再生対象コンテンツを選択することができるコンテンツ再生装置、方法及びプログラムを提供することである。
【０００７】
本発明の他の目的は、選択した再生対象コンテンツを新鮮感ある順番で再生して、ユーザを楽しませることができるコンテンツ再生装置、方法及びプログラムを提供することである。
【課題を解決するための手段】
【０００８】
本発明において再生対象となる放送コンテンツは、各番組内で放送される楽曲等の番組内放送コンテンツとされる。本発明では、番組内放送コンテンツを把握することができるメタデータを使用する。メタデータの一例としてのＦＭからのオンエア情報は、各番組で具体的にどのような楽曲が放送されたか、また、その放送時刻は何であるかを探索できるようにしている。
【０００９】
本発明によれば、番組内放送コンテンツの情報が含まれるメタデータを利用して、単一又は複数の所定放送番組における所定の番組内放送コンテンツを探索し、それらを今回の再生対象コンテンツと決定し、該再生対象コンテンツを、所定の記憶装置から読み出して再生する。なお、該記憶装置に記憶されている再生対象コンテンツは、典型的には、該番組内放送コンテンツ（例：楽曲）と同一のコンテンツとしてユーザがインターネットからダウンロードやＣＤレンタル店からレンタルＣＤのダビング等により取得したものであるが、該番組内放送コンテンツをその放送時に該記憶装置に記録したものであってもよい。
【００１０】
本発明の具体例では、複数の再生対象コンテンツを再生する場合には、各番組内放送コンテンツの放送時刻についてのメタデータに基づき再生対象コンテンツの再生順番を決定し、該決定した再生順番で再生対象コンテンツを再生する。
【００１１】
本発明のコンテンツ再生装置は次のものを備えている。
放送番組自体と該放送番組における要素コンテンツとしての番組内放送コンテンツとについてのメタデータを入手するメタデータ入手手段、
所定の放送番組についての所定の番組内放送コンテンツのメタデータに基づき、所定の記憶装置から読み出して再生する再生対象コンテンツを、決定する再生対象コンテンツ決定手段、及び
決定した再生対象コンテンツを前記記憶装置から読み出して再生する再生手段。
【００１２】
本発明のコンテンツ再生方法は次のステップを備えている。
放送番組自体と該放送番組における要素コンテンツとしての番組内放送コンテンツとについてのメタデータを入手するステップ、  所定の放送番組についての所定の番組内放送コンテンツのメタデータに基づき、所定の記憶装置から読み出して再生する再生対象コンテンツを、決定するステップ、及び
決定した再生対象コンテンツを前記記憶装置から読み出して再生するステップ。
【００１３】
本発明のプログラムは、上述のコンテンツ再生装置の各手段としてコンピュータを機能させる。
【発明の効果】
【００１４】
本発明によれば、所定の放送番組における所定の番組内放送コンテンツが再生されるので、ユーザにはプレイリストのコンテンツとは異なるコンテンツを再生対象とすることができ、ユーザへ新鮮な印象を与えることができる。
【００１５】
また、再生対象コンテンツの再生順を番組内放送コンテンツの放送開始時刻のメタデータに基づき決めることにすれば、再生対象コンテンツコンテンツ鑑賞中のユーザの感慨を一層深めさせることができる。
【発明を実施するための最良の形態】
【００１６】
図１はオーディオ装置１０におけるＦＭからのオンエア情報の入手に関する説明図である。オーディオ装置１０は、家庭の部屋１１や車室内等に据え付けられ、ユーザ１２により操作されて、楽曲の再生等を行う。オーディオ装置１０は、ＣＤ及びＭＤのドライブの他に、ＳＤカードスロットやハードディスク装置を装備している。ＳＤカードやハードディスク装置には、例えばＭＰ３やＷＭＡ等の楽曲ファイルが格納されている。オーディオ装置１０は、典型的にはＦＭチューナを装備しているが、必須ではない。
【００１７】
オーディオ装置１０は、ＡＳＰ（Application Service Provider）１５からインターネット１７を介して各ＦＭラジオ放送局の放送内容に関するメタデータ（オンエア情報）を入手する。オーディオ装置１０は、インターネット１７への接続において、ホームネットワークを利用して、該ネットワークのルータを介してＡＳＰ１５へアクセスして、オンエア情報を入手することができる。
【００１８】
ＡＳＰ１５は例えばＡｎｙＭｕｓｉｃ（http：//www.anymusic.jp/）である。ＡｎｙＭｕｓｉｃのオンエア情報は、現在放送中の番組か過去放送した番組についてのメタデータであり、これから放送しようとする番組についてのメタデータは含まれない。ＡｎｙＭｕｓｉｃのオンエア情報は、３０秒ごとに更新される。ＡｎｙＭｕｓｉｃでは、各ＦＭラジオ放送局について過去１年以上のオンエア情報を保存していて、オーディオ装置１０は、それらを適宜、入手自在になっている。
【００１９】
ＦＭラジオ放送局１８は、オンエア情報サーバ１９を用意し、自局が放送する放送内容についてのオンエア情報を該サーバ１９から提供することもある。そのような場合には、オーディオ装置１０は、ＡＳＰ１５に代えて、該サーバ１９へアクセスして、オンエア情報を入手することができる。
【００２０】
図２はＦＭラジオ放送局より過去に放送された所定の番組についてそれに対応付けられているメタデータを例示している。該メタデータには、所定の放送局名、番組名、ＤＪ名、番組放送開始時刻（年月日も含む。）及び番組放送終了時刻（年月日も含む。）、並びに該番組内の放送楽曲についての楽曲名、放送開始時刻及びアーティスト名が含まれる。オーディオ装置１０は、ＡＳＰ１５から過去のメタデータは入手せず、ＡＳＰ１５から現在のメタデータを３０秒等の時間間隔で入手して、それらを蓄積することにより、過去の放送分のメタデータとすることもできる。
【００２１】
オーディオ装置１０は、ＡＳＰ１５からメタデータを定期的に自動的に入手する。ＡｎｙＭｕｓｉｃはメタデータを過去１年分以上保持しているので、オーディオ装置１０は、必要のつど、必要な期間のメタデータをＡＳＰ１５から入手してもよい。
【００２２】
オーディオ装置１０の作用について説明する。オーディオ装置１０では、ユーザは、複数の楽曲を連続再生して、聴取しようとする場合、プレイリストに登録した楽曲を掲載順又はランダムで再生する以外にＦＭラジオ放送番組準拠の再生を選択できる。
【００２３】
ユーザ１２が、再生モードについてＦＭラジオ放送番組準拠の楽曲再生のモードを選択すると、オーディオ装置１０は、最初に、ユーザ１２に期間又は期日を指定させる選択画面又は入力画面をディスプレイに表示する。期間又は期日の選択等は、例えば。○年□月第△週における「○」、「□」及び「△」に数値をユーザ１２が入力したり、カレンダーを表示して、ユーザ１２が日付を選択したりすることにより行われる。
【００２４】
期間又は期日の選択等が終了すると、次に、オーディオ装置１０は、該当期間又は該当期日の楽曲に関するＦＭラジオ放送番組の一覧をディスプレイに表示して、ユーザ１２に選択させる。該一覧には、各ＦＭラジオ放送番組について、番組名、ＦＭラジオ放送局名及び放送時間が記載されている。ユーザ１２は、該一覧から所望のＦＭラジオ放送番組を選択する。
【００２５】
ユーザ１２は、ＦＭラジオ放送番組準拠の再生についての後述の（ｂ）及び（ｃ）の場合のように、１つのＦＭラジオ放送番組について複数の放送を選択したり、ＦＭラジオ放送番組を複数、選択したりする場合もある。楽曲についてＦＭラジオ放送番組準拠の再生について種々の具体例を説明する。
【００２６】
（ａ）準拠するＦＭラジオ放送番組が１つのＦＭラジオ放送番組についての１回の放送についてのものである場合：例えば、該ＦＭラジオ放送番組は、昨年放送されたクリスマス特集の番組、半年前に放送された人気ランク１０位までの歌謡曲を放送する番組、又は先週放送された所定のアーティストの特集の番組である。再生対象は以下の手順により抽出される。番組内で放送された楽曲のメタデータを抽出し、これと一致する記憶媒体に記録された楽曲を抽出する。この楽曲の抽出処理は、該番組内で放送された所定数の楽曲について行われ、典型的には該番組で放送された全ての楽曲について行われる。なお、一致する楽曲とは、アーティスト名、楽曲のタイトル名が記憶媒体に記録された楽曲と一致した場合でも良いし、楽曲のタイトル名のみが一致することでもよい。また記録媒体に記録された楽曲のタイトル名が複数のアレンジ（ライブバージョン、クラシックバージョン等）を含んでいる場合には、それらの候補を表示し、ユーザに選択させてもよい。また放送された楽曲のメタデータと一致する楽曲が記録媒体に存在しない場合はその旨を表示し、再生対象の楽曲とはならないことを示すようにしてもよい。また、再生順は、典型的には、該番組における放送順であるが、繰り返し、同一の特定ＦＭラジオ放送番組が選択された場合には、ユーザが飽きるので、放送順と逆放送順とを交互に繰り返したり、ランダム再生とすることもできる。
【００２７】
図３は（ａ）の場合に対応するオンエア情報、再生対象楽曲及び再生順の説明図である。ＦＭラジオ放送局Ｂの番組Ｐでは、楽曲Ｍ1〜Ｍnが放送されている。オーディオ装置１０は、再生対象楽曲をＭ1〜Ｍnに決定し、また、それらの再生順序については、放送開始時刻順にＭ1→Ｍ2→・・・→Ｍnに決定する。
【００２８】
オーディオ装置１０は、決定した再生対象楽曲及び再生順番をディスプレイに表示してもよい。オーディオ装置１０は、ユーザ１２の希望により、再生対象楽曲を、番組Ｐで放送された全曲ではなく、所定数だけに絞ることができる。ユーザ１２は、また、再生順番を放送開始時刻の早い順ではなく、遅い順にしたり、ランダムにしたりすることができる。これらのことは後述の（ｂ）及び（ｃ）の場合も同様に適用できる。
【００２９】
（ｂ）準拠するＦＭラジオ放送番組が１つのＦＭラジオ放送番組についての複数の放送回のものである場合：例えば、番組名「歌謡ベストテン」という人気歌謡曲の１週間のベストテンを放送する番組があったとする。また、該番組では、１位の楽曲は番組の最後に放送されると決まっているものとする。この場合、「歌謡ベストテン」という番組の例えば１月から３月までの各週の放送から１位の楽曲だけを集めて、それらを再生対象コンテンツとし、これらを日付順に再生する。
【００３０】
図４は（ｂ）の場合に対応するオンエア情報、再生対象楽曲及び再生順の説明図である。ＦＭラジオ放送局Ｂの番組「歌謡ベストテン」について、各放送日において、それぞれ楽曲Ｍa1〜Ｍam，Ｍb1〜Ｍbm，Ｍc1〜Ｍcmが放送されている。オーディオ装置１０は、再生対象楽曲をＭam，Ｍbm，Ｍcm，・・・に決定し、また、それらの再生順序については、放送開始時刻順にＭam→Ｍbm→Ｍcm→・・・に決定する。
【００３１】
（ｃ）準拠するＦＭラジオ放送番組が単一又は複数のＦＭラジオ放送局の複数のＦＭラジオ放送番組である場合：例えば、今週、過去のいずれかの週、又は所定期日に放送された番組であって、ＤＪが異なっている複数の番組があることを想定する。各ＤＪの番組において最初から２〜３ずつ楽曲を収集して、それらを再生対象コンテンツとする。そして、それらを日付順に再生する。
【００３２】
この（ｃ）の場合では、ユーザ１２は、期間又は期日の指定の後、複数の番組を選択する。図５は（ｃ）の場合に対応するオンエア情報、再生対象楽曲及び再生順の説明図である。ＤＪ名＝"ＤＪ１"，"ＤＪ２"，"ＤＪ３"，・・・の番組Ｑ１，Ｑ２，Ｑ３，・・・からそれぞれ２個ずつ、楽曲Ｍ11，Ｍ12，Ｍ21，Ｍ22，Ｍ31，Ｍ32，・・・を選曲し、それらを再生対象楽曲に決定し、また、それらの再生順序については、放送開始時刻順にＭ11→Ｍ21→Ｍ22→Ｍ12→・・・に決定する。
【００３３】
図６はコンテンツ再生装置３０のブロック図である。前述のオーディオ装置１０はコンテンツ再生装置３０の一例である。コンテンツ再生装置３０は、メタデータ入手手段３１、再生対象コンテンツ決定手段３２及び再生手段３３を備えている。
【００３４】
メタデータ入手手段３１は、放送番組自体と該放送番組における要素コンテンツとしての番組内放送コンテンツとについてのメタデータを入手する。再生対象コンテンツ決定手段３２は、所定の放送番組についての所定の番組内放送コンテンツのメタデータに基づき、所定の記憶媒体から読み出して再生する再生対象コンテンツを、決定する。再生手段３３は、決定した再生対象コンテンツを記憶装置から読み出して再生する。
【００３５】
メタデータは、例えば、オンエア情報であるが、これに限定されない。ＡＭラジオ放送、デジタルラジオ放送、又はデジタル若しくはアナログのＴＶ放送、さらに、ケーブル放送やインターネット放送のメタデータであってもよい。番組内放送コンテンツは、例えば楽曲であるが、楽曲以外の番組内放送コンテンツであってもよい。オンエア情報の一例は図２のものである。
【００３６】
オンエア情報は、番組の放送後に発行されるので、再生対象コンテンツ決定手段３２による探索は、過去の放送番組についてのもののみに限定されるが、メタデータ入手手段３１が入手したメタデータが、放送前の放送番組についてのメタデータであって、番組内放送コンテンツの情報含む場合には、再生対象コンテンツ決定手段３２は、未来の放送番組についての所定の番組内放送コンテンツを再生対象コンテンツとすることができる。
【００３７】
メタデータ入手手段３１は、メタデータを、典型的にはインターネットを介して入手する。しかし、コンテンツ再生装置３０自体は、インターネットへの接続機能を装備していなくてもよい。コンテンツ再生装置３０が、例えばポータブル式デジタルオーディオプレーヤである場合、該ポータブル式デジタルオーディオプレーヤは、インターネット接続機能を装備する他の装置がすでにオンエア情報を入手しており、該他の装置へケーブル等を介して接続された期間に、該他の装置からオンエア情報を入手することができる。
【００３８】
メタデータ入手手段３１は、メタデータを、再生対象コンテンツ決定手段３２が再生対象コンテンツ決定する前であれば、任意の時期に入手することができる。メタデータ入手手段３１は、定期的に所定期間分のメタデータを入手して（例：週末に、その週の全部のメタデータ）、それを蓄積しておくこともできるし、再生対象コンテンツ決定手段３２が再生対象コンテンツを決定しようとするごとに、その直前に該当メタデータを入手するようになってもよい。
【００３９】
再生手段３３が再生対象コンテンツを読み出す所定の記憶媒体とは、典型的には、コンテンツ再生装置３０が内蔵するハードディスク装置等の大容量記憶装置である。なお、所定の記憶媒体は、コンテンツ再生装置内のCDやMD、SDカードであってもよく、またコンテンツ再生装置と接続された他の機器（例えばポータブルデジタルオーディオプレーヤ）やコンテンツ再生装置とネットワーク接続された他の大容量記憶装置を含むことはいうまでもない。また、典型的には、該所定の記録媒体における該再生対象コンテンツは、ユーザが、放送とは無関係に、インターネットのダウンロードやレンタルＣＤのダビング等により取得しているものであるが、再生対象コンテンツが放送された時にそれを該記録媒体に記録したものであってもよい。なお、再生対象コンテンツが記録媒体にない場合には、典型的には、該再生対象コンテンツの再生は省略して、次の再生順番の再生対象コンテンツの再生に移るが、記録媒体にない該再生対象コンテンツについてユーザに購入を促す表示をディスプレイに行って、ユーザが該再生対象コンテンツを購入すると、それを再生するようにしてもよい。
【００４０】
こうして、ユーザは、再生対象コンテンツについて、プレイリスト方式とは別の方式で収集して、それらの再生を楽しむことができる。
【００４１】
好ましくは、所定の放送番組は、単一又は複数の放送局における単一又は複数の放送回の単一又は複数の放送番組である。この具体例は図３〜図５で説明したとおりである。なお、前述（ｂ）及び図４において説明した番組名「歌謡ベストテン」の例は、単一の放送局における複数の放送回の単一の放送回の例である。該所定の放送番組は、ユーザが直接指定することもあるし、ユーザは、直接的にはアーティスト名、その番組のＤＪ名等を指定し、結果として、間接的に指定される場合もある。所定の番組内放送コンテンツは、ユーザが所定の放送番組の全部の番組内放送コンテンツとか、該所定の放送番組において最初に放送された番組内放送コンテンツとか、該所定の放送番組における最後の所定数とかのように、決定される。
【００４２】
好ましくは、コンテンツ再生装置３０は、さらに、再生順番決定手段３５を備える。再生順番決定手段３５は、各番組内放送コンテンツの放送開始時刻のメタデータに基づき再生対象コンテンツの再生順番を決定する。また、再生手段３３は、決定した再生順番で再生対象コンテンツを再生する。決定した再生順番とは、典型的には、放送順番と同一の順番であるが、放送順番とは逆順であってもよいとする。
【００４３】
図７はコンテンツ再生方法５０のフローチャートである。Ｓ５１では、放送番組自体と該放送番組における要素コンテンツとしての番組内放送コンテンツとについてのメタデータを入手する。Ｓ５２では、所定の放送番組についての所定の番組内放送コンテンツのメタデータに基づき、所定の記録媒体から読み出して再生する。Ｓ５３では、決定した再生対象コンテンツを記録媒体から読み出して再生する。
【００４４】
Ｓ５１〜Ｓ５３の処理は、コンテンツ再生装置３０（図６）のメタデータ入手手段３１〜再生手段３３の機能にそれぞれ対応している。したがって、メタデータ入手手段３１〜再生手段３３の機能について述べた具体的態様はＳ５１〜Ｓ５３の処理についての具体的態様としても適用可能である。
【００４５】
また、コンテンツ再生装置３０の再生順番決定手段３５の機能に対応する処理を実行するステップを適宜、追加可能である。再生順番決定手段３５に対応するステップは、Ｓ５２とＳ５３との間に追加される。再生順番決定手段３５の追加に対して説明したメタデータ入手手段３１〜再生手段３３の機能の具体的態様は、再生順番決定手段３５に対応するステップの追加に対するＳ５１〜Ｓ５３の処理の具体的態様として適用される。
【００４６】
本発明を適用したプログラムは、コンピュータをコンテンツ再生装置３０の各手段として機能させる。本発明を適用した別のプログラムは、コンテンツ再生方法５０の各ステップをコンピュータに実行させる。
【００４７】
本発明を最良の形態について説明したが、本発明は、これに限定されるものではなく、発明の要旨を逸脱しない範囲で最良の形態における各構成要素を変形して具体化できる。また、最良の形態に開示されている複数の構成要素の便宜な組み合わせにより、種々の発明を形成できる。本明細書が開示する発明には、最良の形態に示される全構成要素からいくつかの構成要素を削除したり、異なる最良の形態に係る構成要素同士を組み合わせたりしたものも含まれる。
【図面の簡単な説明】
【００４８】
【図１】オーディオ装置におけるオンエア情報の入手に関する説明図である。
【図２】ＦＭラジオ放送局より過去に放送された所定の番組についてそれに対応付けられているメタデータを例示す図である。
【図３】準拠するＦＭラジオ放送番組が１つのＦＭラジオ放送番組についての１つの放送についてのものである場合に対応するオンエア情報、再生対象楽曲及び再生順の説明図である。
【図４】準拠するＦＭラジオ放送番組が１つのＦＭラジオ放送番組についての複数の放送日のものである場合に対応するオンエア情報、再生対象楽曲及び再生順の説明図である。
【図５】複数のＦＭラジオ放送局の複数のＦＭラジオ放送番組である場合に対応するオンエア情報、再生対象楽曲及び再生順の説明図である。
【図６】コンテンツ再生装置のブロック図である。
【図７】コンテンツ再生方法のフローチャートである。
【符号の説明】
【００４９】
３０：コンテンツ再生装置、３１：メタデータ入手手段、３２：再生対象コンテンツ決定手段、３３：再生手段、３５：再生順番決定手段、５０：コンテンツ再生方法。
【図１】
2008243320.tif 000003
【図２】
2008243320.tif 000004
【図３】
2008243320.tif 000005
【図４】
2008243320.tif 000006
【図５】
2008243320.tif 000007
【図６】
2008243320.tif 000008
【図７】
2008243320.tif 000009